(57)【要約】  本発明は、初発進時に車輪速度が正常であると確認できた後でも、車輪速度センサの故障の可能性を監視し、これを運転者に警告又は報知することができる監視装置の提供を目的とする。自動二輪車に用いる車輪速度センサの監視装置において、前記自動二輪車は、１つの車輪の車輪速度を検出する車輪速度センサ２と、前記車輪速度から車体速度を求めると共に前記車輪速度を用いて前記車輪のＡＢＳ制御を行うＥＣＵ１０と、車体の状態を表示する警告灯８とを備えており、前記車体速度若しくは前記車輪速度が所定の最低速度以下である場合に、ＥＣＵ１０は、車輪速度センサの故障の可能性を警告灯１０の点灯又は点滅により報知する。
2011125412.tif 000002
【特許請求の範囲】
【請求項１】
自動二輪車に用いる車輪速度センサの監視装置において、
前記自動二輪車は、１つの車輪の車輪速度を検出する車輪速度センサと、前記車輪速度から車体速度を求めると共に前記車輪速度を用いて前記車輪のＡＢＳ制御を行う制御部と、車体の状態を表示する表示部とを備えており、
前記制御部は、前記車体速度又は前記車輪速度が所定の最低速度以下であることを前記表示部で報知することを特徴とする監視装置。
【請求項２】
請求項１に記載の監視装置において、
前記制御部は、点灯、点滅、又は点灯若しくは点滅の表示色の変更の何れか一つにより前記表示部を作動することを特徴とする車輪速度センサの監視装置。
【請求項３】
請求項１に記載の車輪速度センサの監視装置において、
前記所定の最低速度は、０乃至７Ｋｍ／ｈの間であることを特徴とする車輪速度センサの監視装置。
【請求項４】
請求項１に記載の車輪速度センサの監視装置において、
前記制御部は、前記自動二輪車の初発進の後に、前記車輪速度センサをモニタして、前記車体速度又は前記車輪速度が前記所定の最低速度以下か否かを判定することを特徴とする車輪速度センサの監視装置。
【請求項５】
請求項４に記載の車輪速度センサの監視装置において、
前記制御部は、車体の状態に関わる追加信号が停車状態を示すか否かを判定して、前記追加信号が停車状態を示す場合には、前記初発進後に前記車体速度又は前記車輪速度が前記所定の最低速度以下であっても、前記表示部が前記所定の最低速度以下であることを報知しないことを特徴とする車輪速度センサの監視装置。
【請求項６】
請求項１に記載の車輪速度センサの監視装置において、
初発進時にモニタされる前記所定の最低速度が、第１の最低速度であり、初発進後にモニタされる前記所定の最低速度が、前記第１の最低速度と異なる第２の最低速度であることを特徴とする車輪速度センサの監視装置。
【請求項７】
請求項６に記載の車輪速度センサの監視装置において、
前記第１の最低速度は、第２の最低速度以上である、車輪速度センサの監視装置。
【請求項８】
請求項１に記載の車輪速度センサの監視装置において、
前記表示部は、ＡＢＳの警告灯であることを特徴とする車輪速度センサの監視装置。
【請求項９】
自動二輪車に用いる車輪速度センサの監視方法において、
前記自動二輪車は、１つの車輪の車輪速度を検出する車輪速度センサと、前記車輪速度から車体速度を求めると共に前記車輪速度を用いて前記車輪のＡＢＳ制御を行う制御部と、車体の状態を表示する表示部とを備えており、
前記監視方法は、前記車体速度又は前記車輪速度が所定の最低速度以下であることを前記表示部で報知するステップを含むことを特徴とする監視方法。
【請求項１０】
請求項９に記載の監視方法において、
前記監視方法は、点灯、点滅、又は点灯若しくは点滅の表示色の変更の何れか一つにより前記表示部を作動するステップを含むことを特徴とする監視方法。
【請求項１１】
請求項９に記載の監視方法において、
前記所定の最低速度は、０乃至７Ｋｍ／ｈの間であることを特徴とする監視方法。
【請求項１２】
請求項９に記載の監視方法において、前記監視方法は、
前記自動二輪車の初発進の後に、前記車輪速度センサをモニタするステップと、
前記車体速度又は前記車輪速度が前記所定の最低速度以下か否かを判定するステップと、を含むことを特徴とする監視方法。
【請求項１３】
請求項１２に記載の車輪速度センサの監視方法において、前記監視方法は、
車体の状態に関わる追加信号が停車状態を示すか否かを判定するステップと、
前記追加信号が停車状態を示す場合には、前記初発進後に前記車体速度又は前記車輪速度が前記所定の最低速度以下であっても、前記表示部が前記所定の最低速度以下であることを報知しないステップと、を含むことを特徴とする車輪速度センサの監視方法。
【請求項１４】
請求項９に記載の車輪速度センサの監視方法において、
初発進時にモニタされる前記所定の最低速度が、第１の最低速度であり、初発進後にモニタされる前記所定の最低速度が、前記第１の最低速度と異なる第２の最低速度であることを特徴とする車輪速度センサの監視方法。
【請求項１５】
請求項１４に記載の車輪速度センサの監視方法において、
前記第１の最低速度は、第２の最低速度以上である、車輪速度センサの監視方法。
【請求項１６】
請求項９に記載の監視方法において、
前記表示部は、ＡＢＳの警告灯であることを特徴とする監視方法。
【発明の詳細な説明】
【技術分野】
【０００１】
本発明は、車両に搭載される速度センサの監視装置及び方法に関し、より詳細には、自動二輪車に搭載される車輪速度センサの監視装置及び方法に関するものである。
【背景技術】
【０００２】
従来のアンチロックブレーキシステム（ＡＢＳ）は、特許文献１に示すように、複数の車輪速度センサを備えており、これらのセンサの出力を相互に比較することにより車輪速度をモニタして、モニタされた車輪速度に応じてＡＢＳが作動される。【０００３】
また、特許文献２の図１に示されるような１チャンネルＡＢＳは、ＡＢＳ制御がなされる１つの車輪に１つの車輪速度センサのみを備えている。【０００４】
しかしながら、このような１つの車輪速度センサしか持たない１チャンネルＡＢＳにおいては、車輪速度センサの故障等の際に、車両の電子制御ユニット（ＥＣＵ）による検知や運転者に対する報知が問題となる。
【先行技術文献】
【特許文献】
【０００５】
【特許文献１】特開２００６−３２７４７４号公報
【特許文献２】特開２００８−２５４７３３号公報
【発明の概要】
【発明が解決しようとする課題】
【０００６】
１チャンネルＡＢＳにおいて、１つの車輪速度センサのみを備える場合に、車輪速度センサからの出力がなくなった場合には、ＥＣＵは車両が停止中なのかそれとも速度センサが異常なのかを判断できない。そのために、初発進時に車輪速度が正常であると確認できた後でも、停止時には運転者は異常の発生を認識することができない。このような異常な状態で走行して、車輪がスリップするような状態になったとしても、ＡＢＳは作動しないこととなる。【０００７】
そこで、本発明は、このようなＡＢＳおいて、初発進時に車輪速度が正常であると確認できた後でも、車輪速度センサの故障の可能性を監視し、これを運転者に警告又は報知することができる監視装置及び方法を提供することを目的とする。
【課題を解決するための手段】
【０００８】
上記課題を解決するために、本発明は、自動二輪車に用いる車輪速度センサの監視装置において、前記自動二輪車は、１つの車輪の車輪速度を検出する車輪速度センサと、前記車輪速度から車体速度を求めると共に前記車輪速度を用いて前記車輪のＡＢＳ制御を行う制御部と、車体の状態を表示する表示部とを備えており、前記制御部は、前記車体速度又は前記車輪速度が所定の最低速度以下であることを前記表示部で報知する。前記制御部は、点灯、点滅、又は点灯若しくは点滅の表示色の変更の何れか一つにより前記表示部を作動する。前記所定の最低速度は、０乃至７Ｋｍ／ｈの間である。前記制御部は、前記自動二輪車の初発進の後に、前記車輪速度センサをモニタして、前記車体速度又は前記車輪速度が前記所定の最低速度以下か否かを判定する。前記制御部は、車体の状態に関わる追加信号が停車状態を示すか否かを判定して、前記追加信号が停車状態を示す場合には、前記初発進後に前記車体速度又は前記車輪速度が前記所定の最低速度以下であっても、前記表示部が前記所定の最低速度以下であることを報知しない。前記監視装置において、初発進時にモニタされる前記所定の最低速度が、第１の最低速度であり、初発進後にモニタされる前記所定の最低速度が、前記第１の最低速度と異なる第２の最低速度である。前記第１の最低速度は、第２の最低速度以上である。前記表示部は、ＡＢＳの警告灯である。【０００９】
さらに、本発明は、自動二輪車に用いる車輪速度センサの監視方法において、前記自動二輪車は、１つの車輪の車輪速度を検出する車輪速度センサと、前記車輪速度から車体速度を求めると共に前記車輪速度を用いて前記車輪のＡＢＳ制御を行う制御部と、車体の状態を表示する表示部とを備えており、前記監視方法は、前記車体速度又は前記車輪速度が所定の最低速度以下であることを前記表示部で報知するステップを含む。前記監視方法は、点灯、点滅、又は点灯若しくは点滅の表示色の変更の何れか一つにより前記表示部を作動するステップを含む。前記所定の最低速度は、０乃至７Ｋｍ／ｈの間である。前記監視方法は、前記自動二輪車の初発進の後に、前記車輪速度センサをモニタするステップと、前記車体速度又は前記車輪速度が前記所定の最低速度以下か否かを判定するステップと、を含む。前記監視方法は、車体の状態に関わる追加信号が停車状態を示すか否かを判定するステップと、前記追加信号が停車状態を示す場合には、前記初発進後に前記車体速度又は前記車輪速度が前記所定の最低速度以下であっても、前記表示部が前記所定の最低速度以下であることを報知しないステップと、を含む。前記監視方法において、初発進時にモニタされる前記所定の最低速度が、第１の最低速度であり、初発進後にモニタされる前記所定の最低速度が、前記第１の最低速度と異なる第２の最低速度である。前記第１の最低速度は、第２の最低速度以上である。前記表示部は、ＡＢＳの警告灯である。
【発明の効果】
【００１０】
本発明の装置や方法によれば、モニタ用の車輪速度センサもしくは車体速度情報が不要になり、１つの車輪速度センサのみを備える場合であっても、運転者が車輪速度センサの異常等の可能性やＡＢＳの不作動を認識可能となる。
【図面の簡単な説明】
【００１１】
【図１】本発明の実施形態の監視装置に係るブロック図である。
【図２】本発明の実施形態の監視装置に係るフローチャートである。
【図３】本発明の実施形態の監視装置において、（ａ）車輪速度に対する時間変化を表すグラフであり、（ｂ）イグニッションのオンオフに対する時間変化を表すグラフであり、（ｃ）警告灯のオンオフに対する時間変化を表すグラフである。
【発明を実施するための形態】
【００１２】
本発明の車輪速度センサの監視装置及び方法は、初発進時に車輪速度が正常であると確認できた後でも、後述の停止状態に警告ランプを点灯又は点滅させて運転者に警告又は報知を行うものである。以下、本発明の車輪速度センサの監視装置及び方法を自動二輪車に適用した実施形態を、図面を参照しつつ説明する。
【００１３】
図１のブロック図を用いて、本実施形態の監視装置を構成する電子制御ユニット（ＥＣＵ）１０を説明する。ＥＣＵ１０には、１つの車輪速度センサ２、電磁弁４、モータ６、警告灯８が接続されている。車輪速度センサ２は、ＡＢＳ制御が行われる前輪又は後輪（不図示）に設けられて、車輪回転速度に基づく信号を出力する。電磁弁４は液圧回路内に複数設けられており、ＡＢＳ作動時にＥＣＵ１０からの制御信号に基づき開閉する。モータ６は、ＡＢＳ作動時にＥＣＵ１０からの制御信号に基づき液圧回路内の作動液を加圧する。警告灯（表示部）８は、ＥＣＵ１０からの制御信号に基づき、点灯、点滅、又は点灯若しくは点滅の表示色の変更、の何れか一つの動作を行って、異常等を運転者に報知する。
【００１４】
また、ＥＣＵ１０内には、車輪速度演算部１２、ＡＢＳ許可判断及び警告灯駆動演算部１４、ＡＢＳ演算制御部１６がそれぞれ設けられている。
【００１５】
車輪速度演算部１２は、車輪速度センサ２が出力した速度信号に基づいて、車輪速度を演算する。ＡＢＳ許可判断及び警告灯駆動演算部１４は、車輪速度演算部１２が求めた車輪速度に基づき、ＡＢＳの作動の許可を判断すると共に、警告灯の駆動表示状態を決定する。ＡＢＳ演算制御部１６は、ＡＢＳの作動状態を演算する。さらに、液圧駆動制御部１８は、ＡＢＳ演算制御部１６の指令に基づき、液圧回路の電磁弁４やモータ６の駆動を制御する。
【００１６】
図２のフローチャートに基づき、本実施形態に係る監視装置及び方法の動作を説明する。自動二輪車のイグニッションがオンになると、ステップＳ２０１で車輪速度センサ２が起動して、ステップ２０２で車輪速度センサ２が信号をＥＣＵ１０に出力する。ステップＳ２０３で、車輪速度演算部１２は、入力した信号に基づき車輪速度を演算し、さらに車輪速度に基づき車体速度も演算する。
【００１７】
次いで、ステップＳ２０４で、ＡＢＳ許可判断及び警告灯駆動演算部１４は、車輪速度が初発進モニタ実施用最低速度Ｖ１ ｍｉｎ以下か否かを判定して、Ｖ１ ｍｉｎ以下である場合にはステップＳ２０８に移行し、Ｖ１ ｍｉｎ以下でない場合にはステップＳ２０５に移行する。なお、初発進モニタ実施用最低速度以下とは、車輪速度センサ２からの信号に基づいて演算された車体速度が実質的にゼロとみなせるような場合である。初発進モニタ実施用最低速度としては、例えば、１〜７ｋｍ／ｈの間で定めることができ、好ましくは５ｋｍ／ｈとすることができる。
【００１８】
ステップＳ２０５で、ＡＢＳ許可判断及び警告灯駆動演算部１４は、初発進モニタを未実施から否かを判定し、未実施の場合にはステップＳ２０８に移行し、未実施でない場合、即ち実施済みの場合にはステップＳ２０６に移行する。
【００１９】
ステップＳ２０６で、ＡＢＳ許可判断及び警告灯駆動演算部１４は、警告灯駆動演算を行って、ステップＳ２０７で警告灯を消灯し、ステップＳ２１０に移行する。なお、ステップＳ２０７の状態は、通常の走行状態である。一方、ステップＳ２０８で、ＡＢＳ許可判断及び警告灯駆動演算部１４は、警告灯駆動演算を行って、ステップＳ２０９で警告灯を点灯又は点滅する。ステップＳ２０９では、現実の停止状態か、又は車両が走行しているのに停止状態と判断されていることを意味する。
【００２０】
ステップＳ２０７で警告灯を消灯した後、車両は走行状態となり、ステップＳ２１０で車輪速度が走行用最低速度Ｖｍｉｎ以下か否かを判定する。なお、走行用最低速度以下とは、車輪速度センサ２からの信号に基づいて演算された車体速度が実質的にゼロとみなせるような場合である。走行用最低速度としては、例えば、１〜７ｋｍ／ｈの間で定めることができ、好ましくは３ｋｍ／ｈとすることができる。なお、Ｖ１ ｍｉｎとＶｍｉｎとの関係について、Ｖ１ ｍｉｎ≧Ｖｍｉｎとすることが好ましい。その理由として、初発進時は、システム自体の動作確認、例えば、車輪速度以外にもバルブやポンプモータの駆動による確認も行われるため、初発進モニタ実施用最低速度Ｖ１ ｍｉｎがあまりに低いと、バルブやモータの駆動音や振動が気になったり、またエンジン回転数が低すぎて供給電圧が不十分であるために低電圧の誤検出が起こる可能性がある。これらを防止するために、Ｖｍｉｎと比較してある程度大きなＶ１ ｍｉｎが設定される。
【００２１】
ステップＳ２１０で車輪速度が走行用最低速度Ｖｍｉｎ以下でない場合には、ステップＳ２１０に戻り、ステップＳ２１０で車輪速度が走行用最低速度Ｖｍｉｎ以下の場合には、ステップＳ２１１に移行する。ステップＳ２１１で、ＡＢＳ許可判断及び警告灯駆動演算部１４は、警告灯駆動演算を行って、ステップＳ２１２で警告灯を点灯又は点滅する。ステップＳ２１２では、現実の停止状態か、又は車両が走行しているのに停止状態と判断されていることを意味する。
【００２２】
図３のグラフに基づき、本実施形態の監視装置及び方法の動作時の状態を説明する。図３（ａ）は車輪速度センサからの信号から演算される車輪速度の時間変化を表す。図３（ｂ）は、イグニッションのオンオフ状態の時間変化を表す。図３（ｃ）は警告灯のオンオフ（点灯、消灯）状態の時間変化を表す。
【００２３】
図３の時間Ｔ１は、初発進前の停止状態、即ち、車両の停車時にエンジンが停止していて発進のためにイグニッションがオンされた状態であり、警告灯は点灯している。したがって、車輪速度センサの車輪速度は停車状態を表す０である。時間Ｔ２までは、時間Ｔ１から連続して警告灯はオン状態であり、車輪速度は初発進モニタ実施用最低速度Ｖ１ ｍｉｎ以下であるが、実際に車両は低速で動き出している。時間Ｔ２では車両が加速し車体速度が速度Ｖ１ ｍｉｎより大きくなると、初発進モニタが実施され、正常であれば警告灯は消灯する。時間Ｔ２から時間Ｔ３の間で、車輪速度が一端上昇してその後低下していき、走行用最低速度Ｖｍｉｎ以下になると警告灯が点灯又は点滅する。時間Ｔ３から時間Ｔ４の間は、例えば信号待ちで停車しているような状態であり、イグニッションはオンであり且つ車両は停止している。車両が停止しているため、車輪速度は走行用最低速度Ｖｍｉｎ以下であり警告灯は点灯又は点滅する。そして、時間Ｔ４においては、車両が再度発進して車輪速度がＶｍｉｎより大きくなると、警告灯が消灯する。時間Ｔ４から時間５は走行状態であり、警告灯の消灯が維持される。そして、時間Ｔ５で車輪速度が走行用最低速度Ｖｍｉｎ以下になると、警告灯が点灯又は点滅する。もしこの状態で、車輪速度センサの故障等により、演算される車輪速度が走行用最低速度Ｖｍｉｎ以下であると、車両が現実に走行していても警告灯は連続して点灯又は点滅が維持される。
【００２４】
本発明の監視装置は、初発進で車輪速度センサが正常であることが確認でき、警告灯を消灯したとしても、その後車輪速度センサから信号が出力されなくなった場合には、常に警告灯を点灯又は点滅する。初発進で車輪速度センサが正常であることが確認できたとしても、その後の停車時には再びＡＢＳの警告灯を点灯又は消灯させて（ＡＢＳの動作を禁止し）運転者に警告を行う。再発進後に再び車輪速度センサが正常であることが確認できたら（所定の最低速度を超える速度が出力されたら）、再び警告灯を消灯させてＡＢＳの作動を可能とする。
【００２５】
なお、本発明においては、通常の警告灯を用いてもよく、専用の警告灯を設けてもよい。警告灯として、ＡＢＳの作動表示灯を点灯、点滅、表示色の変更させてもよい。さらに、ＡＢＳ以外からの車輪速度等の追加速度情報の入力があり、その情報が有効かつ停車状態を示している場合には、停車時に再点灯または点滅等させないようにしてもよい。他の追加速度情報としては、車輪の軸の回転速度、スピードメータ用信号、駆動系の信号（エンジン回転数、クラッチが接続された状態でのクラッチ信号）を用いることができる。
【００２６】
ＡＢＳ制御中の場合は、車輪速度が走行用最低速度以下である状態がある一定時間（例えば、１〜２秒）以上の場合に前記表示部で報知するようにしても良い。
【００２７】
車体速度は車輪速度から演算されるが、車輪速度演算用のフィルターまたは車輪速度の変化量勾配制限を設けており、ＡＢＳ制御中は一般的にフィルター等は強めに設定される。よって、本発明が適用される１チャンネルＡＢＳ（ＡＢＳ制御がなされる１つの車輪に１つの車輪速度センサのみを備える）を有する自走二輪車において、特にＡＢＳ制御中は、車体速度＝車輪速度とはならない場合が生じる。車体速度が所定の最低速度以下であることを前記表示部で報知とすることにより、特に低い速度でのＡＢＳ制御中、車輪にスリップが生じて、短時間、最低速度以下となっても車体速度が最低速度よりも高ければ前記表示部で報知しないようにできる。したがって、本発明は、車輪速度依存、車体速度依存の夫々にメリットがある。
【００２８】
なお、警告灯８による警告表示のオプションとしては、（１）最低速度Ｖ１ ｍｉｎ及び／又はＶｍｉｎ以下でＡＢＳ警告灯を点滅させ、故障判断時に点灯へ切り換える、（２）最低速度Ｖ１ ｍｉｎ及び／又はＶｍｉｎ以下と、ＡＢＳの故障時とでＡＢＳの警告灯８の色を変える、（３）ＡＢＳの警告灯８以外に、最低速度Ｖ１ ｍｉｎ及び／又はＶｍｉｎ以下の場合の表示灯等の表示手段を別途設ける。
【００２９】
なお、特許請求の範囲に記載の「所定の最低速度」とは、初発進進モニタ実施用最低速度Ｖ１ ｍｉｎ及び／又は走行用最低速度Ｖｍｉｎを意味する。
【符号の説明】
【００３０】
２  車輪速度センサ
４  電磁弁
６  モータ
８  警告灯
１０  ＥＣＵ（監視装置）
１２  車輪速度演算部
１４  ＡＢＳ許可判断及び警告灯駆動演算部
１６  ＡＢＳ演算制御部
１８  液圧駆動制御部
【図１】
2011125412.tif 000003
【図２】
2011125412.tif 000004
【図３】
2011125412.tif 000005
【国際調査報告】
2011125412.tif 000006
2011125412.tif 000007